(57)【特許請求の範囲】
【請求項１】
商品に関する商品情報に基づいて販売データ処理を実行する商品販売データ処理部と、
前記商品販売データ処理部が実行する販売データ処理に関する現金決済金額を入力するための入金額入力手段と、
前記商品販売データ処理部が実行した販売データ処理に関して前記入金額入力手段により入力された前記現金決済金額に基づく決済を宣言する現金決済宣言手段と、
金銭の載置を許容する金銭載置台と、前記金銭載置台の紙幣載置面に配置された光透過性を有する透過板と、前記透過板の下方に配置された光源と、を具備する偽造紙幣識別用装置と、
前記光源の点灯と消灯とを切り替える切替え手段と、
を備え、前記切替え手段は、前記光源を点灯させている状態で、前記現金決済宣言手段が現金での決済を宣言した場合に、前記光源を消灯させる、商品販売データ処理装置。
【請求項２】
商品に関する商品情報に基づいて販売データ処理を実行する商品販売データ処理部と、
金銭の載置を許容する金銭載置台と、前記金銭載置台の紙幣載置面に配置された光透過性を有する透過板と、前記透過板の下方に配置された光源と、を具備する偽造紙幣識別用装置と、
前記商品販売データ処理部が実行する販売データ処理に関する現金決済金額を入力するための入金額入力手段と、
前記入金額入力手段により前記現金決済金額が入力された場合に、前記光源を点灯させる切替え手段と、
を具備する商品販売データ処理装置。
【請求項３】
前記商品販売データ処理部が実行した販売データ処理に関して前記入金額入力手段により入力された前記現金決済金額に基づく決済を宣言する現金決済宣言手段を具備して、
前記切替え手段は、前記現金決済宣言手段が現金での決済を宣言した場合に、前記光源を消灯させる請求項２記載の商品販売データ処理装置。
【請求項４】
前記金銭載置台は、本体ハウジングの一部を構成している請求項１、２または３記載の商品販売データ処理装置。
【請求項５】
前記金銭載置台は、前記本体ハウジングの上面手前側に設けられている請求項４記載の商品販売データ処理装置。
【請求項６】
前記金銭載置台は、前記本体ハウジングの顧客と対向する側とは反対側の端部に設けられている請求項５記載の商品販売データ処理装置。
【発明の詳細な説明】
【０００１】
【発明の属する技術分野】
本発明は、偽造紙幣を識別する際に用いる偽造紙幣識別用装置および商品販売データ処理装置に関する。
【０００２】
【従来の技術】
近年、偽造紙幣が急増している。例えば、コンビニエンスストア等の小売店での取引に際して偽造紙幣が使用された場合、取引終了後に偽造紙幣であることが発覚しても、その損害額は店舗側の負担となってしまう。このため、店舗側としては、偽造紙幣であるか否かを取引終了前に識別できることが望ましい。
【０００３】
この対策として、従来では、例えば、紙幣を蛍光灯等の店舗内に設置された照明に翳して、紙幣に透かし模様があるか否かを目視により識別することで、偽造紙幣であるか否かを識別することが考えられている。
【０００４】
【発明が解決しようとする課題】
一般的に、商品販売の取引に際しては、販売する商品の小計金額を算出し、算出した小計金額を顧客に請求する。現金で決済する場合、顧客は請求された小計金額分を満足する金額の金銭をオペレーターに預けるため、オペレーターは預かった金銭をドロワ装置等に収納し、預かった金額に応じて釣り銭分の金銭を顧客に返却する。
【０００５】
顧客から預かった紙幣が偽造紙幣であるか否かの識別作業を、取引終了前に行うためには、小計金額を顧客に請求した時点から、顧客から預かった金銭をドロワ装置等に収納する時点までの間に、紙幣を照明に翳して透かし模様の有無を識別しなくてはならない。
【０００６】
ところで、店内の照明は、通常、天井等、オペレーターの頭上に取り付けられている。このため、上述したように、紙幣を照明に翳して透かし模様の有無を識別する方法を用いて取引終了前に偽造紙幣であるか否かを識別するためには、販売する商品の小計金額に応じて顧客から渡された紙幣をその顧客の前で照明に翳さなくてはならない。
【０００７】
しかし、顧客の前で紙幣を照明に翳して偽造紙幣であるか否かを識別する作業を行うことは、偽造紙幣ではない正規の紙幣を使用している顧客に対して、「疑われている」と思わせてしまう等の不快感を与えることとなり、顧客の心証を低下させてしまう。
【０００８】
本発明は、取引終了前に、顧客に気付かれずに、偽造紙幣であるか否かを識別することができる偽造紙幣識別用装置および商品販売データ処理装置を得ることを目的とする。
【０００９】
【課題を解決するための手段】
請求項１記載の発明は、商品に関する商品情報に基づいて販売データ処理を実行する商品販売データ処理部と、前記商品販売データ処理部が実行する販売データ処理に関する現金決済金額を入力するための入金額入力手段と、前記商品販売データ処理部が実行した販売データ処理に関して前記入金額入力手段により入力された前記現金決済金額に基づく決済を宣言する現金決済宣言手段と、金銭の載置を許容する金銭載置台と、前記金銭載置台の紙幣載置面に配置された光透過性を有する透過板と、前記透過板の下方に配置された光源と、を具備する偽造紙幣識別用装置と、前記光源の点灯と消灯とを切り替える切替え手段と、を備え、前記切替え手段は、前記光源を点灯させている状態で、前記現金決済宣言手段が現金での決済を宣言した場合に、前記光源を消灯させる。
【００１０】
したがって、金銭載置台の紙幣載置面に載置された紙幣は、光源から発光されて透過板を透過された光によって下側から照らされる。
【００１７】
請求項２記載の発明の商品販売データ処理装置は、商品に関する商品情報に基づいて販売データ処理を実行する商品販売データ処理部と、金銭の載置を許容する金銭載置台と、前記金銭載置台の紙幣載置面に配置された光透過性を有する透過板と、前記透過板の下方に配置された光源と、を具備する偽造紙幣識別用装置と、前記商品販売データ処理部が実行する販売データ処理に関する現金決済金額を入力するための入金額入力手段と、前記入金額入力手段により前記現金決済金額が入力された場合に、前記光源を点灯させる切替え手段と、を具備する。
【００１８】
したがって、実際に、現金を取り扱う商品販売データ処理部の側で、現金での決済に際して必ず行われる預かり金額の入力に際して、偽造紙幣識別用装置を用いて偽造紙幣であるか否かの識別を行うことができる。
【００１９】
請求項３記載の発明は、請求項２記載の商品販売データ処理装置において、前記商品販売データ処理部が実行した販売データ処理に関して前記入金額入力手段により入力された前記現金決済金額に基づく決済を宣言する現金決済宣言手段を具備して、前記切替え手段は、前記現金決済宣言手段が現金での決済を宣言した場合に、前記光源を消灯させる。
【００２０】
したがって、金銭載置台の紙幣載置面に紙幣が載置されている場合にのみ、光源を点灯させることが可能になる。
【００２１】
請求項４記載の発明は、請求項１、２または３記載の商品販売データ処理装置において、前記金銭載置台は、本体ハウジングの一部を構成している。
【００２２】
したがって、偽造紙幣識別用装置を設置するためのスペースを格別確保する必要がない。
【００２３】
請求項５記載の発明は、請求項４記載の商品販売データ処理装置において、前記金銭載置台は、前記本体ハウジングの上面手前側に設けられている。
【００２４】
したがって、金銭載置台をオペレーターに近付けることができる。
【００２５】
請求項６記載の発明は、請求項５記載の商品販売データ処理装置において、前記金銭載置台は、前記本体ハウジングの顧客と対向する側とは反対側の端部に設けられている。
【００２６】
したがって、金銭載置台をオペレーターに近付けるとともに、顧客から離間させることができる。
【００２７】
【発明の実施の形態】
本発明の第１の参考例について図１ないし図３を参照して説明する。本参考例は、商品販売データ処理装置として、偽造紙幣識別用装置を備えるＰＯＳ端末への適用例を示す。
【００２８】
図１は、ＰＯＳ端末の外観を示す斜視図である。
ＰＯＳ端末１は、金銭を収納するドロワ装置２を下部に備えている。ドロワ装置２は、本体ハウジング３に対して引出自在に収納される引出４を備えている。
【００２９】
ＰＯＳ端末１の右上側には、オペレーターに対して所定の情報を表示するディスプレイ５が設けられている。オペレーター側から見て、ディスプレイ５の背面側には、所定の情報を客側に向けて表示する客側ディスプレイ６が立設されている。
【００３０】
本体ハウジング３の上面には、オペレーターによる各種操作を受け付ける操作領域７が設けられている。オペレーターから見て操作領域７の右側の領域には、複数の操作キーを有するキーボード８が設けられている。特に図示しないが、キーボード８には、商品コードや預かり金額等を手入力するための置数キー、一万円札が入金された場合に操作される万券キー、取引に際して実行される商品販売データ処理において現金取引による締め処理を実行するための預／現計キー等の各種の操作キーが設けられている。また、キーボード８には、操作されることにより、後述する光源としてのライト９(図２参照)の点灯／消灯の切り替えを宣言するためのライトキーが設けられている。
【００３１】
操作領域７のキーボード８より右側には、ＰＯＳ端末１に内蔵されて、客が所持する図示しない磁気カードに記憶されている情報を読み取るカードリーダ１０(図３参照)のカード読取スリット１１が設けられている。
【００３２】
操作領域のカード読取スリット１１の近傍には、図示しない鍵により登録・設定・精算等の動作モードを切り替え自在に設定するコントロールキー１２が設けられている。
【００３３】
ＰＯＳ端末１には、商品に付される商品コード等のバーコードを光学的に読み取るバーコードスキャナ１３が接続されている。
【００３４】
操作領域より左側には、ＰＯＳ端末１に内蔵されて所定の情報を印字出力させる機能を実行するレシートプリンタ１４が設けられている。詳細は後述するが、レシートプリンタ１４には、図示しないプリンタヘッドを用いて印字されたレシートが発行されるレシート発行口１５が設けられている。レシート発行口１５には、レシート発行口１５から発行されたレシートの一部を支持するレシートガイド板１６が設けられている。
【００３５】
レシート発行口１５より手前側には、取引に係る現金を一時載置するための紙幣置き部１７が設けられている。紙幣置き部１７は、金銭載置台としての紙幣置き台１８とこの紙幣置き台１８上に紙幣を位置付ける札挟み１９とによって構成されている。紙幣置き台１８は、後述する偽造紙幣識別用装置２０(図２参照)の一部を構成している。
【００３６】
なお、ＰＯＳ端末１は、カード読取スリット１１が顧客と対向する側となり、紙幣置き部１７が顧客と対向する側から離間する側となるような位置関係で配置される。
【００３７】
図２は、偽造紙幣識別用装置２０を示す分解斜視図である。偽造紙幣識別用装置２０は、上面となる紙幣置き台１８を外部に臨ませるようにして、ＰＯＳ端末１の本体ハウジング３の一部を筐体として、本体ハウジング３内に設けられている。紙幣置き台１８は、フレーム２１と透過板としての拡散板２２と板金部材２３とを一体的に重ね合わせることにより構成されている。上述の札挟み１９は、ねじ３２によってフレーム２１に固定されている。
【００３８】
フレーム２１の中央部分には、フレーム２１の厚み方向に貫通する長方形の切り欠き窓２４が形成されている。フレーム２１には、切り欠き窓２４を囲むようにして、フレーム２１の表面から厚み方向に凹んだ拡散板凹部２５が形成されている。拡散板２２は、切り欠き窓２４を閉塞するようにして、拡散板凹部２５に嵌め込まれている。
【００３９】
拡散板２２は、光透過性および光拡散性を有している。このため、後述するライト９の光が照射された場合には、照射された光は拡散板２２全面に拡散される。
【００４０】
また、フレーム２１の拡散板凹部２５より外側部分には、フレーム２１の表面から厚み方向に凹んだ板金凹部２６が形成されている。板金凹部２６の深さは、拡散板凹部２５よりも浅くなるように形成されている。これによって、板金凹部２６に板金部材２３を嵌め込むことによって、拡散板２２を押さえ付けることができる。板金部材２３には、フレーム２１に重ね合わされた状態で切り欠き窓２４と重なる位置に、厚み方向に貫通する切り欠き窓２７が形成されている。
【００４１】
フレーム２１の下方には、ライト固定板２８によって保持された光源としてのライト９が設けられている。ライト９は、例えば、液晶ディスプレイの背面に設置されて、液晶ディスプレイを視覚的に見やすくするバックライト等によって構成されている。ライト９には、一端がＰＯＳ端末１のマイコン４０(図３参照)に接続された信号ケーブル２９の他端と、一端が電源に接続された給電ケーブル３０の他端が接続されている。ＰＯＳ端末１との間でデータの授受は、信号ケーブル２９を介して行われる。また、電源から供給される電力は、給電ケーブル３０を介して給電される。ライト固定板２８は、ライト９の発光部分を切り欠き窓２４に対向させるようにして、４本のねじ３１によって下側からフレーム２１に固定されている。
【００４２】
次に、ＰＯＳ端末１に内蔵された各部の電気的接続を図３に基づいて説明する。このＰＯＳ端末１は、ＰＯＳ端末１が備える各部を駆動制御するマイコン４０を内蔵している。マイコン４０は、各部を集中的に制御するＣＰＵ４１に、アドレスバス、データバス等のバスライン４２を介して、起動プログラム等の固定的データを予め格納するＲＯＭ４３、各種データを書き換え自在に格納するＲＡＭ４４等が接続されて構成されている。ＲＡＭ４４には、各種データを書き換え自在に格納する機能を利用して、ワークエリアとして機能する売上バッファや印字バッファ等の各種バッファが割り当てられている。
【００４３】
ＣＰＵ４１に接続されたバスライン４２にはＨＤＤ４５が接続されている。特に図示しないが、ＨＤＤ４５には制御プログラムや、商品マスタファイル、売上登録に係る売上データを記憶保持する売上ファイル等が格納されている。商品マスタファイルは、商品の商品コード毎に商品名、単価、部門コード等を対応付けて記憶保持するファイル構造を備える。また、売上ファイルは、売上明細や売上金額等の商品売上履歴を記憶保持するファイル構造を備える。
【００４４】
ＰＯＳ端末１の起動時、ＨＤＤ４５に格納された制御プログラムが商品マスタファイル、売上ファイル等とともにＲＡＭ４４に書き込まれ、これによってマイコン４０による各部の駆動制御が可能な状態となる。マイコン４０によって駆動制御される各部を次に説明する。
【００４５】
キーボード８は、キーコントローラ４６を介してバスライン４２に接続されている。キーボード８は、操作されたキーに応じた信号を、キーコントローラ４６の動作によってマイコン４０に入力する。
【００４６】
コントロールキー１２は、切替コントローラ４７を介してバスライン４２に接続されている。コントロールキー１２は、切替コントローラ４７の動作によって切り替え位置に応じた信号をマイコン４０に入力する。マイコン４０は、コントロールキー１２の切り替え位置によって発生する出力信号に応じて、ＰＯＳ端末１の動作モードを登録モード、設定モード、精算モード、点検モード等の各業務モードに設定する。起動後のＰＯＳ端末１では、コントロールキー１２の切り替え位置に応じて動作モードが選択される。
【００４７】
ディスプレイ５は、表示コントローラ４８を介してバスライン４２に接続されている。ディスプレイ５は、マイコン４０からの表示データが表示コントローラ４８に入力されると、表示コントローラ４８に駆動されて所定事項を表示する。
【００４８】
客側ディスプレイ６は、表示コントローラ４９を介してバスライン４２に接続されている。客側ディスプレイ６は、マイコン４０からの客側表示データが表示コントローラ４９に入力されると、表示コントローラ４９に駆動されて所定事項を表示する。
【００４９】
バーコードスキャナ１３は、スキャナコントローラ５０を介してバスライン４２に接続されている。バーコードスキャナ１３は、スキャナコントローラ５０の動作によって読み取った商品コード等のバーコードのデータをマイコン４０に送信する。
【００５０】
レシートプリンタ１４は、プリンタコントローラ５１を介してバスライン４２に接続されている。レシートプリンタ１４は、マイコン４０からの印字データがプリンタコントローラ５１に入力されると、プリンタコントローラ５１に駆動されて所定事項を印字用紙に印字する。このレシートプリンタ１４は、図示しないカッタ機構を備えており、カッタ機構もマイコンによって駆動制御されて、印字用紙を所定の位置で切断する。
【００５１】
カードリーダ１０は、リーダコントローラ５３を介してバスライン４２に接続されている。カードリーダ１０は、顧客が所持する図示しない磁気カードから読み取った顧客データ等の各種データをマイコン４０に送信する。
【００５２】
ライト９は、点灯コントローラ５５を介してバスラインに接続されている。ランプは、マイコンからの点灯信号が点灯コントローラ５５に入力されると、点灯コントローラ５５に駆動制御されて点灯される。
【００５３】
ＰＯＳ端末１とは別体で設けられたドロワ装置２も、マイコン４０によって駆動制御される。このドロワ装置２は、引出４の解放／施錠を行うソレノイド５６を有している。このソレノイド５６は、バスライン４２に接続されており、マイコン４０からの解放信号に応じてＯＮ／ＯＦＦ駆動されることによって、引出４の解放／施錠を行う。
【００５４】
取引に際してＰＯＳ端末１では、登録モードの設定下で、商品販売データ処理を実行する。公知の技術であるため詳細な説明を省略するが、商品販売データ処理では、オペレーターが、例えば、バーコードスキャナ１３によって商品に付されたバーコードをスキャンしたり置数キーを操作したりすることにより、商品コードを入力する。マイコン４０は、登録モードの設定下で入力された商品コードに基づいて、商品マスタファイルを検索し、入力された商品コードに対応する商品名や単価等の各種情報を取得する。また、取得した情報に基づく販売データをＲＡＭ４４の販売バッファに記憶し、ここまでの小計金額(消費税額を含む)を算出する。これを、預／現計キーが操作されるまで繰り返す。
【００５５】
オペレーターは、全ての商品のスキャンが終了した時点で算出された小計金額を顧客に伝え、顧客から相当する金額分の金銭を受け取り、キーボード８でのキー操作によって受け取った金額を入力した後、預／現計キーを操作する。
【００５６】
マイコン４０は、預／現計キーの操作による締め処理の実行が宣言された場合、ＲＡＭ４４の販売バッファに記憶した販売データを売上ファイルに記憶させて、必要に応じて釣り銭金額を算出し、商品販売データ処理を終了する。ここに、商品販売データ処理部が実現されている。
【００５７】
上述したように、商品販売データ処理は、オペレーターにより預／現計キーが操作されることにより処理を終了まで実行する。
【００５８】
ここで、例えば、支払いに偽造紙幣が使用されて、オペレーターが偽造紙幣であることに気付かずに預／現計キーを操作してしまった場合、この偽造紙幣はそのままドロワ装置２の引出４内に収納される。一般的に、ＰＯＳ端末１では、一日の業務が終了した時点等、所定間隔で精算業務を行う。精算業務ではドロワ装置２内の現金の確認も行うため、精算業務に際して偽造紙幣が発見されることがある。しかし、取引が既に終了しているため、偽造紙幣による損害額は店舗側の負担となってしまう。
【００５９】
このため、取引が終了する前、すなわち、預／現計キーを操作する前に、偽造紙幣であるか否かの判別ができることが望まれる。
【００６０】
従来では、店舗内に設置された照明に紙幣を翳して、紙幣に透かし模様があるか否かを目視により識別することで、偽造紙幣であるか否かを見分けることが考えられている。しかし、取引が終了する前に偽造紙幣であるか否かを判別するためには、顧客の目前で紙幣を照明に翳さなくてはならない。顧客から渡された紙幣をこの顧客の目前で照明に翳して透かし模様の有無を識別することは、偽造紙幣ではない正規の紙幣を使用している顧客に対して大変失礼な行動となり、顧客の心証を低下させてしまう。このため、実際に行うことは困難である。
【００６１】
ＰＯＳ端末１では、以下のようにして、紙幣に透かし模様があるか否かを目視により識別することができる。
【００６２】
取引に際して、オペレーターは、全ての商品のスキャンが終了した時点で算出された小計金額を顧客に伝え、顧客から相当する金額分の金銭を受け取る。顧客から預かった金銭の内の紙幣を紙幣置き台１８に載置し、キーボード８のライトキーを操作する。
【００６３】
キーボード８のライトキーを操作すると、ライトキーが操作されたことを示す信号が、キーコントローラ４６を介してマイコン４０に入力される。マイコン４０は、ライトキーが操作されたことを示す信号に基づいて、点灯コントローラ５５に対して、点灯信号を出力する。点灯コントローラ５５は、マイコン４０から点灯信号が入力されると、ライト９を点灯させる。ここに、切替え手段としての機能の一部が実現される。
【００６４】
ライト９の点灯により拡散板２２に向けて照射された光は、拡散板２２で拡散板２２全体に拡散される。これにより、紙幣置き台１８上に載置された紙幣は、拡散板２２の面積と同じ面積が照らされる。
【００６５】
このとき、拡散板２２を筐体の一面に設けることで、拡散板２２を通過した光のみを本体ハウジング３の外部に照射させることができる。
【００６６】
これにより、紙幣の透かし模様部分にだけ光を照射して、紙幣に透かし模様があるか否かを識別することができるので、取引時に偽造紙幣の識別作業を行っていることを顧客に対して判り難くすることができる。
【００６７】
また、紙幣置き台１８上に紙幣を載置した状態で紙幣の識別作業ができるので、オペレーターは通常のキャッシャー業務を行う体勢のまま、紙幣に透かし模様があるか否かを識別することができる。
【００６８】
顧客から預かった紙幣に透かし模様があると目視によって識別した場合にのみ、キーボード８でのキー操作によって受け取った金額を入力し、預／現計キーを操作するような運用とすることで、透かし模様があることにより正規の紙幣であることが識別された紙幣のみを取引に用いることができる。
【００６９】
オペレーターは、紙幣に透かし模様があるか否かを識別した後、再度ライトキーを操作する。これにより、ライトキーが操作されたことを示す信号が、キーコントローラ４６を介してマイコン４０に入力される。マイコン４０は、ライト９を点灯させている状態でライトキーが操作されたことを示す信号が入力されると、点灯コントローラ５５に対して、消灯信号を出力する。点灯コントローラ５５は、マイコン４０から消灯信号が入力されると、ライト９を消灯させる。ここに、切替え手段としての機能の一部が実現される。
【００７０】
なお、ライト９を点灯させている状態でライトキーが操作されたことを示す信号が入力されると、点灯コントローラ５５に対して、消灯信号を出力するようにしたが、これに限るものではなく、例えば、ライト９を点灯させている状態で預／現計キーが操作されたことを示す信号が入力されることにより、点灯コントローラ５５に対して、消灯信号を出力するようにしてもよい。これによって、操作するキーの数を減らして、操作を簡易化することができる。
【００７１】
このように、紙幣に透かし模様があるか否かを識別した後は、ライト９を消灯させてから紙幣置き台１８に載置した紙幣をドロワ装置２内に収納させるような運用とすることで、紙幣置き台１８から紙幣を取り去った場合に拡散板２２が光っていることがないので、偽造紙幣識別用装置２０の存在を判り難くすることができる。
【００７２】
これによって、正規の紙幣を使用している顧客に対して不快感を与えることなく、取引終了前に紙幣に透かし模様があるか否かを識別することができ、店舗側での損害の発生を防止することができる。
【００７３】
また、偽造紙幣識別用装置２０が、ＰＯＳ端末１の本体ハウジング３内に内蔵されているため、偽造紙幣識別用装置２０を設置するための設置スペースを格別に確保する必要がない。
【００７４】
加えて、ＰＯＳ端末１は、カード読取スリット１１が顧客と対向する側となり、紙幣置き部１７が顧客と対向する側から離間する側となるような位置関係で配置されるため、顧客から預かった紙幣に透かし模様があるか否かの識別作業を行っていることを、顧客により判り難くすることができる。
【００７５】
なお、偽造紙幣識別用装置２０をＰＯＳ端末１の本体ハウジング３に設け、ＰＯＳ端末１と一体的に設けたが、これに限るものではなく、単体で設けられた偽造紙幣識別用装置２０を用いてもよい。これによって、例えば、ＰＯＳ端末１が設置されるサッカー台(図示せず)の内側や、レシートプリンタ１４の側方等、偽造紙幣識別用装置２０を任意の位置に設置することができるので、偽造紙幣識別用装置２０の存在をより判り難くすることができる。
【００７６】
次に、本発明の第２の参考例について図４および図５を参照して説明する。第１の参考例と同一部分は同一符号で示し、説明も省略する。
【００７７】
図４は、ＰＯＳ端末１が備える偽造紙幣識別用装置を示す分解斜視図である。本参考例のＰＯＳ端末１の偽造紙幣識別用装置７０は、光を発光する発光素子と、発光素子で発光した光を受光する受光素子(ともに図示せず)とを備える反射型の光センサである紙幣検出センサ７１を備えている。紙幣検出センサ７１は、フレーム２１の板金凹部２６よりも外側となる位置に設けられた検出窓７２を、紙幣検出センサ７１の光軸が通過するように設けられており、下側から紙幣検出センサ７１とフレーム２１とを貫通して、札挟み１９をフレーム２１に固定するねじ３２によって、フレーム２１に固定されている。
【００７８】
検出窓７２を通過した紙幣検出センサ７１の光は、札挟み１９で反射されて受光素子に入射される。紙幣検出センサ７１は、受光素子での受光量の変化に応じて出力が変化する。紙幣検出センサ７１の出力は、紙幣検出センサ７１に接続された信号ケーブル７３によってＰＯＳ端末１のマイコン４０(図５参照)に出力される。
【００７９】
図５は、ＰＯＳ端末に内蔵された各部の電気的接続を説明するブロック図である。紙幣検出センサ７１は、センサコントローラ７４を介してバスライン４２に接続されている。紙幣検出センサ７１は、受光素子での受光量の変化に応じた検出信号をセンサコントローラ７４を介してマイコン４０に送信する。
【００８０】
ＰＯＳ端末１では、以下のようにして、紙幣に透かし模様があるか否かを目視により識別することができる。
【００８１】
取引に際して、オペレーターは、全ての商品のスキャンが終了した時点で算出された小計金額を顧客に伝え、顧客から相当する金額分の金銭を受け取る。
【００８２】
顧客から預かった金銭の内の紙幣を、透かし模様があるべき部分が拡散板２２に重なるようにして、紙幣置き台１８に載置する。このとき、紙幣の一部が札挟み１９と紙幣置き台１８との間に来るように位置付ける。
【００８３】
これによって、紙幣検出センサ７１の光軸が紙幣によって遮断されるので、受光素子での受光量が変化して、紙幣検出センサ７１からの出力が変化する。マイコン４０は、紙幣検出センサ７１の出力変化に基づいて、紙幣置き台１８に紙幣が載置されたことを検出する。ここに、紙幣検出手段が実現される。
【００８４】
マイコン４０は、紙幣検出センサ７１の出力変化に基づいて紙幣置き台１８に紙幣が載置されたことを検出すると、点灯コントローラ５５に向けて点灯信号を出力する。
【００８５】
点灯コントローラ５５は、マイコン４０から入力された点灯信号に応じてライト９を点灯させる。ここに、点灯手段が実現される。
【００８６】
ライト９を点灯させることにより拡散板２２に向けて照射された光は、拡散板２２で拡散板２２全体に拡散される。これにより、紙幣の透かし模様部分にだけ光を照射して、紙幣に透かし模様があるか否かを識別することができるので、取引時に偽造紙幣の識別作業を行っていることを顧客に対して判り難くすることができる。
【００８７】
また、紙幣置き台１８上に紙幣を載置した状態で紙幣の識別作業ができるので、オペレーターは通常のキャッシャー業務を行う体勢のまま、紙幣に透かし模様があるか否かを識別することができる。
【００８８】
顧客から預かった紙幣に透かし模様があると目視によって識別した場合にのみ、キーボード８でのキー操作によって受け取った金額を入力し、預／現計キーを操作するような運用とすることで、透かし模様があることにより正規の紙幣であることが識別された紙幣のみを取引に用いることができる。
【００８９】
紙幣に透かし模様があるか否かを識別した後に紙幣置き台１８に載置した紙幣をドロワ装置２内に収納させる場合には、紙幣置き台１８から紙幣を取り去った時点、すなわち、紙幣検出センサ７１の出力が復帰した時点で、ライト９が消灯される。
【００９０】
これによって、格別な操作を行うことなく、紙幣置き台１８から紙幣を取り去った状態の拡散板２２からの発光を停止させることができるので、偽造紙幣識別用装置２０の存在を判り難くすることができる。
【００９１】
これにより、正規の紙幣を使用している顧客に対して不快感を与えることなく、取引終了前に紙幣に透かし模様があるか否かを識別することができ、店舗側での損害の発生を防止することができる。
【００９２】
なお、紙幣検出センサ７１の出力変化に基づいて紙幣置き台１８に紙幣が載置されたか否かを判断するようにしたが、これに限るものではなく、例えば、マイクロスイッチを用いて紙幣置き台１８に紙幣が載置されたか否かを判断するようにしてもよい。
【００９３】
次に、本発明の一実施の形態について図６を参照して説明する。本実施の形態のＰＯＳ端末は、第１の参考例に示すＰＯＳ端末と同様であるため説明を省略する。
【００９４】
図６は、本実施の形態のＰＯＳ端末が有するＨＤＤ４５に格納された制御プログラムに基づいてマイコン４０が実行する商品販売データ処理の流れを概略的に示すフローチャートである。
【００９５】
商品販売データ処理では、バーコードスキャナ１３によって商品に付されたバーコードをスキャンしたり置数キーを操作したりすることによる商品コードの入力があったと判断するまで待機する(Ｓ１のＮ)。
【００９６】
バーコードスキャナ１３によって商品に付されたバーコードをスキャンしたり置数キーを操作したりすることによる商品コードの入力があったと判断した場合には(Ｓ１のＹ)、販売データ処理を実行する(Ｓ２)。
【００９７】
ステップＳ１からＳ２の処理は、小計キーが操作されたと判断するまで(Ｓ３のＮ)、繰り返す。
【００９８】
公知の技術であるため詳細な説明を省略するが、ステップＳ２で実行する販売データ処理は、入力された商品コードに基づいて商品マスタファイルを参照して、入力された商品コードに対応する商品名、単価、部門コード等の各種情報を取得し、取得した各種情報に基づく販売データをＲＡＭ４４の販売バッファに一時記憶させ、ここまでの小計金額を取得する。また、商品コードに対応する各種情報をディスプレイ５や客側ディスプレイ６に表示させる。
【００９９】
オペレーターは、顧客が購入する全ての商品の商品コードの入力が終了した時点で小計キーを操作し、ディスプレイ５に表示されている小計金額分の支払いを顧客に請求する。現金での決済を希望する顧客は請求された金額と同額の金銭あるいはそれ以上の金銭をオペレーターに渡すため、オペレーターは、顧客から預かった金銭の内の紙幣を紙幣置き台１８に載置し、預かり金額(現金決済金額)を置数キーや万券キーの操作によって入力する。これにより、置数キーや万券キーが操作されたことを示す信号が、キーコントローラ４６を介してマイコン４０に入力される。
【０１００】
小計キーが操作されたと判断した場合には(Ｓ３のＹ)、置数キーまたは万券キーが操作されたと判断するまで待機する(Ｓ４のＮ、または、Ｓ５のＮ)。
【０１０１】
置数キーまたは万券キーが操作されたことを示す信号がマイコン４０に入力されることにより置数キーまたは万券キーが操作されたと判断した場合には(Ｓ４のＹ、または、Ｓ５のＹ)、点灯コントローラ５５に対して点灯信号を出力する(Ｓ６)。ここに、ステップＳ４のＹ、または、ステップＳ５のＹによって入金額入力手段としての機能が実行され、ステップＳ６によって切替え手段としての機能が実行される。
【０１０２】
点灯コントローラ５５は、マイコン４０からの点灯信号が入力されると、ライト９を点灯させる。
【０１０３】
これによって、実際に、現金での決済に際して必ず行われる預かり金額の入力に際して、格別な操作を行う必要なく透かし模様があるか否かを識別して、偽造紙幣であるか否かの識別を行うことができる。
【０１０４】
また、現金を取り扱うＰＯＳ端末１の側で、透かし模様があるか否かを識別することにより、偽造紙幣であるか否かの識別作業を行っていることを、顧客に対して判り難くすることができる。
【０１０５】
運用上、オペレーターは、置数キーや万券キーの操作によって預かり金額を入力した後、透かし模様があることを確認した後、預／現計キーを操作する。これによって、透かし模様があることが確認された紙幣のみが、ドロワ装置２内に収納される。
【０１０６】
預／現計キーの操作により、ステップＳ２で行われた販売データ処理に関して置数キーや万券キーにより入力された預かり金額に基づく現金での決済が宣言される。
【０１０７】
マイコン４０は、預／現計キーが操作されたと判断するまで待機し(Ｓ７のＮ)、預／現計キーが操作されたと判断した場合には(Ｓ７のＹ)、点灯コントローラ５５に対して消灯信号を出力し(Ｓ８)、締め処理を行う(Ｓ９)。ここに、ステップＳ７のＹによって現金決済宣言手段としての機能が実行され、ステップＳ８によって切替え手段としての機能が実行される。
【０１０８】
点灯コントローラ５５は、マイコン４０からの消灯信号が入力されると、ライト９を消灯させる。
【０１０９】
これにより、置数キーや万券キーにより預かり金額が入力されてから預／現計キーが操作されるまでの間のみ、ライト９が点灯される。
【０１１０】
これによって、透かし模様があるか否かを識別した後は格別な操作を行う必要なくライト９を消灯させることができるので、透かし模様があるか否かを識別することによる偽造紙幣であるか否かの識別作業を行っていることを、顧客に対してより判り難くすることができる。
【０１１１】
【発明の効果】
請求項１記載の発明によれば、金銭の載置を許容する金銭載置台と、前記金銭載置台の紙幣載置面に配置された光透過性を有する透過板と、前記透過板の下方に配置された光源と、を具備して、金銭載置台の紙幣載置面に載置された紙幣を、光源から発光して透過板を透過させた光によって下側から照らすことにより、紙幣に透かし模様があるかどうかの識別作業を行うことができる。これによって、取引終了前に、偽造紙幣であるか否かを識別することができる。
【０１１５】
請求項２記載の発明の商品販売データ処理装置によれば、商品に関する商品情報に基づいて販売データ処理を実行する商品販売データ処理部と、金銭の載置を許容する金銭載置台と、前記金銭載置台の紙幣載置面に配置された光透過性を有する透過板と、前記透過板の下方に配置された光源と、を具備する偽造紙幣識別用装置と、前記商品販売データ処理部が実行する販売データ処理に関する現金決済金額を入力するための入金額入力手段と、前記入金額入力手段により前記現金決済金額が入力された場合に、前記光源を点灯させる切替え手段と、を具備して、実際に、現金を取り扱う商品販売データ処理部の側で、現金での決済に際して必ず行われる預かり金額の入力に際して、偽造紙幣識別用装置を用いて偽造紙幣であるか否かの識別を行うことができるので、格別な操作を行う必要なく透かし模様があるか否かを識別することができるとともに、透かし模様があるか否かを識別することによる偽造紙幣であるか否かの識別作業を行っていることを、顧客に対してより判り難くすることができる。
【０１１６】
請求項３記載の発明によれば、請求項２記載の商品販売データ処理装置において、前記商品販売データ処理部が実行した販売データ処理に関して前記入金額入力手段により入力された前記現金決済金額に基づく決済を宣言する現金決済宣言手段を具備して、前記切替え手段は、前記現金決済宣言手段が現金での決済を宣言した場合に、前記光源を消灯させることにより、入金額入力手段により現金決済金額が入力されてから現金決済宣言手段により現金決済金額に基づく決済が宣言されるまでの間のみ、光源を点灯させることが可能になるので、透かし模様があるか否かを識別した後は格別な操作を行う必要なく光源を消灯させて、透かし模様があるか否かを識別することによる偽造紙幣であるか否かの識別作業を行っていることを、顧客に対してより判り難くすることができる。
【０１１７】
請求項４記載の発明によれば、請求項１、２または３記載の商品販売データ処理装置において、前記金銭載置台は、本体ハウジングの一部を構成しているため、偽造紙幣識別用装置を設置するためのスペースを格別確保する必要がない。また、金銭載置台が本体ハウジングの一部を構成しているため、偽造紙幣識別用装置を外部から視認されにくくすることができる。これによって、透かし模様があるか否かを識別することによる偽造紙幣の識別作業を行っていることを顧客に対して判り難くすることができるので、例えば、偽造紙幣であるか否かを識別することにより「疑われている」という不快感を顧客に与える可能性を低くすることができる。
【０１１８】
請求項５記載の発明によれば、請求項４記載の商品販売データ処理装置において、前記金銭載置台は、前記本体ハウジングの上面手前側に設けられているので、金銭載置台をオペレーターに近付けることができる。これによって、透かし模様があるか否かを識別することによる偽造紙幣の行っていることを顧客に対して判り難くするとともに、オペレーターの作業をやり易くすることができる。
【０１１９】
請求項６記載の発明によれば、請求項５記載の商品販売データ処理装置において、前記金銭載置台は、前記本体ハウジングの顧客と対向する側とは反対側の端部に設けられているので、金銭載置台をオペレーターに近付けるとともに、顧客から離間させることができる。これによって、透かし模様があるか否かを識別することによる偽造紙幣の識別作業を行っていることを顧客に対して判り難くすることができるので、オペレーターに不快感を与える可能性をより低くすることができる。
【図面の簡単な説明】
【図１】  本実施の第１の参考例のＰＯＳ端末の外観を示す斜視図である。
【図２】  偽造紙幣識別用装置を示す分解斜視図である。
【図３】  ＰＯＳ端末に内蔵された各部の電気的接続を示すブロック図である
【図４】  本発明の第２の参考例のＰＯＳ端末が備える偽造紙幣識別用装置を示す分解斜視図である。
【図５】  ＰＯＳ端末に内蔵された各部の電気的接続を説明するブロック図である。
【図６】  本発明の一実施の形態のＰＯＳ端末が有するＨＤＤに格納された制御プログラムに基づいてマイコンが実行する商品販売データ処理の流れを概略的に示すフローチャートである。
【符号の説明】
１      商品販売データ処理装置
９      光源
１８      金銭載置台
２０      偽造紙幣識別用装置
２２      透過板
７０      偽造紙幣識別用装置
【図１】
0003871252.tif 000002
【図２】
0003871252.tif 000003
【図３】
0003871252.tif 000004
【図４】
0003871252.tif 000005
【図５】
0003871252.tif 000006
【図６】
0003871252.tif 000007